(57)【要約】【課題】今までデッドスペースとなっていたケースの上面を活用して、小物の出し入れを容易に行え、しかもコンパクトな形に成形することが可能なボックスティッシュケースを提供する。【解決手段】上面に形成した取出口７からティッシュペーパーを順次取り出し可能なボックスティッシュを収容するケースであって、設置時のケース上面に、小物を収納するための収納凹部２を設けたことを特徴とするものである。【選択図】図１
2008094465.tif 000002
【特許請求の範囲】
【請求項１】
上面に形成した取出口からティッシュペーパーを順次取り出し可能なボックスティッシュを収容するケースであって、
設置時のケース上面に、小物を収納するための収納凹部を設けたことを特徴とするボックスティッシュケース。
【請求項２】
上面に形成した取出口からティッシュペーパーを順次取り出し可能なボックスティッシュを収容するケースであって、
ボックスティッシュが収容される上面が開口したケース本体の上部に嵌合し、ティッシュペーパーを取り出す開口部が前記取出口の上側に形成された、前記ケース本体に嵌合する蓋体の上面に、小物を収納するための収納凹部を設けたことを特徴とするボックスティッシュケース。
【請求項３】
細長い開口部を挟んだ両側に、該開口部に沿った収納凹部が形成された請求項２記載のボックスティッシュケース。
【請求項４】
複数個の収納凹部が設けられた蓋体が合成樹脂にて一体成形された請求項２又は請求項３記載のボックスティッシュケース。
【発明の詳細な説明】
【技術分野】
【０００１】
本発明は、小物の整理整頓を容易に行えるボックスティッシュケースに関するものである。
【背景技術】
【０００２】
従来のボックスティッシュケースとしては、ボックスティッシュを収容するケース本体の上面にはティッシュを引き出すための取出し口が設けられ、ケース本体の側面には小物を収納するための引出しが設けられたものがある（例えば、特許文献１参照。）。
【０００３】
【特許文献１】特開２００５−８０９５０号公開特許公報（第１図）
【発明の開示】
【発明が解決しようとする課題】
【０００４】
特許文献１の構成では、ケース本体の上面は、ティッシュを引き出すための取出し口が設けられているだけで、他に利用されることはなく、デッドスペースとならざるを得ず、更に、ボックスティッシュを収容するケースとは別に小物を収納するための引出しをケース本体の側面に設ける必要があるので、ケース全体の大きさが大きくなり、また、構造も複雑になってしまうといった問題点があった。また、引出しを出し入れする必要があるので、小物の整理整頓が面倒であるといった問題点もあった。
【０００５】
そこで、本発明は、このような課題を解決するためになされたものであり、今までデッドスペースとなっていたケースの上面を活用して小物の出し入れを容易に行え、しかもコンパクトな形に成形することが可能なボックスティッシュケースを提供することを目的とする。
【課題を解決するための手段】
【０００６】
本発明に係るボックスティッシュケースは、上面に形成した取出口からティッシュペーパーを順次取り出し可能なボックスティッシュを収容するケースであって、設置時のケース上面に、小物を収納するための収納凹部を設けたことを特徴とするものである。
【０００７】
また、上面に形成した取出口からティッシュペーパーを順次取り出し可能なボックスティッシュを収容するケースであって、ボックスティッシュが収容される上面が開口したケース本体の上部に嵌合し、ティッシュペーパーを取り出す開口部が前記取出口の上側に形成された、前記ケース本体に嵌合する蓋体の上面に、小物を収納するための収納凹部を設けたことを特徴とするものである。
【０００８】
更に、細長い開口部を挟んだ両側に、該開口部に沿った収納凹部が形成されたものである方が好ましい。
【０００９】
また、複数個の収納凹部が設けられた蓋体が合成樹脂にて一体成形されたものであってもよい。
【発明の効果】
【００１０】
本発明に係る請求項１記載のボックスティッシュケースによれば、設置時のケース上面に収納凹部が設けられているので、目で確認しながら小物の出し入れを簡単に行うことができ、しかも、コンパクトな形に成形することができる。
【００１１】
請求項２のボックスティッシュケースによれば、容器本体に対して蓋体を持ち上げるだけで、ボックスティッシュの交換を行うことができ、しかも小物は収納凹部内に収納したままで行うことができる。
【００１２】
請求項３のボックスティッシュケースによれば、蓋体の開口部の両側に形成された収納凹部内の側壁を指で挟んで蓋体を持ち上げることができる。
【００１３】
請求項４のボックスティッシュケースによれば、複数の収納凹部を利用して複数の小物を分けて整理することができる。また、収納凹部を有する蓋体全体が合成樹脂にて一体成形されているので、コストを安価なものとすることができる。
【発明を実施するための最良の形態】
【００１４】
本発明の実施の形態を添付図面に基づいて説明する。
図１は本発明の実施の形態に係るボックスティッシュケースの使用状態を示す斜視図であり、図２はボックスティッシュケースの斜視図、図３はボックスティッシュケースの分解斜視図、図４は、ボックスティッシュを収納した状態の縦断面図である。
【００１５】
ボックスティッシュケースＣ１（以下、単にケースＣ１という）は、図２及び図３に示すように、ケース本体１と、収納凹部２を有する蓋体３とで構成されており、ボックスティッシュ４が収容される上面が開口したケース本体１の上部に嵌合し、ティッシュペーパー５を取り出す開口部６が前記取出口７の上側に形成された、前記ケース本体１に嵌合する蓋体３の上面に、小物を収納するための収納凹部１を設けたものである。
【００１６】
ケース本体１は、図３に示すように、ボックスティッシュ４を収容しうる大きさに設定された箱体上面の開口端には、蓋体３が外嵌し得る嵌合片１ａが設けられており、合成樹脂にて一体成形されたものである。
【００１７】
蓋体３は、図３及び図４に示すように、ケース本体１の開口端に外嵌し得る大きさに設定された箱体の上面に、ティッシュペーパー５を取り出すための細長い開口部６が、ボックスティッシュ４の取出口７の上側に形成され、更に、この開口部６を挟んで両側に、該開口部６に沿って長手方向に延びる大きな収納凹部２ａ，２ａと、短手方向に延びる小さな収納凹部２ｂ，２ｂの合計４個が設けられている。この蓋体３は合成樹脂にて一体成形されている。
【００１８】
なお、上述した例では、蓋体３の上面に４個の収納凹部２が設けているが、収納凹部２は２個以上であればよく、また、開口部６の周囲を囲むロ字状などの１個の収納凹部２を設けたものであってもよい。例えば、図５（ａ）に示した蓋体３は、上述したケースＣ１の平面図であるが、図５（ｂ）〜（ｃ）のように、収納凹部２ａ，２ａと収納凹部２ｂ，２ｂの大きさを色々と変えることができる。また、図５（ｄ）は、収納凹部２ａが２個設けられたものである。
【００１９】
また、ケースＣ１のケース本体１と蓋体は、材質は特に限定されるものではなく、金属や木であってもよい。
【００２０】
このように、ケースＣ１によれば、蓋体３の開口部６からティッシュペーパー５を引き出して使用することができ、例えば、家庭で使用する場合、図１に示すように、ケースＣの上面に設けられた大きな収納凹部２ａ，２ａに、耳掻き８や爪切り９を収納することができ、小さな収納凹部２ｂ，２ｂには、ピン１０や毛抜き１１などを収納することができる。このように、小物の整理整頓を容易に行うことができる。また、ボックスティッシュ４の交換をする場合には、開口部６の両側に形成された収納凹部２ａ，２ａ内の側壁１２，１２を指で挟んで持ち上げることで、蓋体３を開放して、ボックスティッシュ４の交換を行うことができる。
【００２１】
以上のような構成によれば、今までデッドスペースとなっていたケースの上面を活用して、即ち、蓋体３の上面に設けられた収納凹部２を利用することで、小物の出し入れが行い易く、しかも、収納凹部２を蓋体３に設けて合成樹脂にて一体成形することで、コンパクトな形にすることができ、コストも安価なものとすることができる。
【００２２】
また、ケースＣ１では、蓋体３の収納凹部２ａ，２ａ内の側壁１２，１２を指で挟んで持ち上げることで、収納凹部２内に小物を入れたままで、ボックスティッシュ４の交換を簡単に行うことができる。更に、ケースＣ１では、４個の収納凹部２が設けられているので、複数の小物を分けて整理することができる。
【００２３】
なお、家庭で使用する他にオフィスで使用する場合には、ケースＣ１の収納凹部２にペン、クリップ、消しゴム、ホッチキスなどを収納すれば便利である。
【００２４】
次に、他の実施形態のボックスティッシュケースＣ２は、図６に示すように、ケース本体１と蓋体３とで構成されているが、上方ケース本体１の側面に開口部６が設けられており、立起させた状態で使用するタイプのものであり、蓋体３の上面に収納凹部２が設けられたものである。
【００２５】
最後に、他の実施形態のボックスティッシュケースＣ３は、図７に示すように、ケース本体１側面に、ボックスティッシュ４を出し入れするための収容口１３が設けられており、設置して使用する時のケース本体１の上面に、開口部６と収納凹部２が設けられているものである。このように収納凹部２を設ける位置は蓋体３に限定されるものではなく、ケースＣを設置して使用する時に位置するケース本体１の上面であればよい。
【図面の簡単な説明】
【００２６】
【図１】本発明に係る実施の形態に係るボックスティッシュケースの使用状態を示す斜視図である。
【図２】同じくボックスティッシュケースの斜視図である。
【図３】同じくボックスティッシュケースの分解斜視図である。
【図４】同じくボックスティッシュを収納した状態の縦断面図である。
【図５】（ａ）〜（ｄ）は、さまざまな例の蓋体の平面図である。
【図６】本発明に係る他の実施の形態に係るボックスティッシュケースの斜視図である。
【図７】本発明に係る他の実施の形態に係るボックスティッシュケースの斜視図である。
【符号の説明】
【００２７】
１  ケース本体
２  収納凹部
３  蓋体
４  ボックスティッシュ
５  ティッシュペーパー
６  開口部
７  取出口
８  耳掻き
９  爪切り
１０  ピン
１１  毛抜き
１２  側壁
１３  収容口
Ｃ１  ボックスティッシュケース
Ｃ２  ボックスティッシュケース
Ｃ３  ボックスティッシュケース
【図１】
2008094465.tif 000003
【図２】
2008094465.tif 000004
【図３】
2008094465.tif 000005
【図４】
2008094465.tif 000006
【図５】
2008094465.tif 000007
【図６】
2008094465.tif 000008
【図７】
2008094465.tif 000009